(57)【特許請求の範囲】
【請求項１】
アパーチャーの背面にセットされた写真フイルムを背面側から支持するためのフイルム支持板を、前記アパーチャーの上側及び下側の少なくともいずれか一方に設けられた受部に当接させて位置決めし、カメラ背面を覆うカバー部材と前記フイルム支持板との間にカメラの制御回路基板を配置するとともに、この制御回路基板と前記カバー部材との間に設けられ、カメラの前面側に向けて押し込み操作することで制御回路の一部を作動又は停止させるスイッチをカバー部材から露呈させたカメラであって、
前記スイッチを前記受部と対向する位置に設け、スイッチが受部に向けて押し込まれるようにしたことを特徴とするカメラ。
【発明の詳細な説明】
【０００１】
【発明の属する技術分野】
本発明は、押し込み式のスイッチが背面に設けられたカメラに関するものである。
【０００２】
【従来の技術】
最近のコンパクトカメラには、自動露出制御機能を始め、ストロボ機能，ズーム機能，液晶表示機能等、多種多様な機能が付加されている。これに伴ってカメラの表面には、メインスイッチの他に多数のスイッチが設けられている。スイッチにはスライド式のものや押し込み式のもの等があり、用途に応じて使い分けられている。特に押し込み式のスイッチは、スライド式のものに比べて制御回路部との接触機構が単純であるため、利用しやすいという利点がある。これらのスイッチは、撮影者の操作性を考慮してカメラの背面側に設けられるのが一般的である。
【０００３】
図３は、カメラの構成を概略的に示すものである。カメラ１０は本体部１１の前後に前カバー１２と後カバー１３とを被せて構成されている。本体部１１には、パトローネ室１４とフイルムロール室１５とが一体に形成されており、パトローネ室１４にはパトローネ本体１６が装填され、フイルムロール室１５にはパトローネ本体１６から引き出された写真フイルム１７を巻き取るための巻取りスプール１８が設けられている。パトローネ室１４とフイルムロール室１５との間にはアパーチャー１９が形成され、写真フイルム１７に対する露光範囲を規定するとともに、後カバー１３に弾性的に取り付けられたフイルム圧板２０と協同して写真フイルム１７を光軸方向で位置決めしている。また、カメラ１０の制御回路が実装された制御回路基板２１は、フイルム圧板２０と後カバー１３との隙間に配置され、制御回路基板２１に取り付けられた液晶表示器２２や撮影モード切換えボタン２３が後カバー１３から露呈される。
【０００４】
ここで、例えば図４に示すように、撮影モード切換えボタン２３として押し込み式のスイッチを用いる場合、撮影モード切換えボタン２３を操作したときに、その押圧力が写真フイルム１７のフイルム面に向けて加わることになる。撮影モード切換えボタン２３と写真フイルム１７との間には、写真フイルム１７に向けて付勢されたフイルム圧板２０が配置されているので、撮影モード切換えボタン２３の押圧力はフイルム圧板２０を介して写真フイルム１７に伝達され、その平面性を損なうという問題が発生する。そこで、従来のカメラでは一般的に、押し込み式のスイッチを用いる場合には、フイルム圧板２０と制御回路基板２１との間に保護板２４を設け、スイッチの押し込み操作による圧力がフイルム圧板２０に伝わらないようにしている。この保護板２４は、ねじにより後カバー１３に固定されている。
【０００５】
【発明が解決しようとする課題】
しかしながら、上記のように保護板を設ける場合、カメラ内に保護板の配置スペースを確保する必要がある。しかも、スイッチの押圧力に抗するためには、保護板にある程度の厚みをもたせ、剛性を与える必要があるので、カメラの薄型化の妨げとなっている。また、カメラの構成部材数も増大するので、コストアップの要因となっている。
【０００６】
本発明は上記の事情を考慮してなされたもので、カメラの薄型化を妨げることなく、押し込み式のスイッチを用いながらもフイルム面の歪みを防止できるカメラを提供することを目的とする。
【０００７】
【課題を解決するための手段】
上記目的を達成するために、本発明のカメラは、アパーチャーの背面にセットされた写真フイルムを背面側から支持するためのフイルム支持板を、アパーチャーの上側及び下側の少なくともいずれか一方に設けられた受部に当接させて位置決めし、カメラ背面を覆うカバー部材とフイルム支持板との間にカメラの制御回路基板を配置するとともに、この制御回路基板とカバー部材との間に設けられ、カメラの前面側に向けて押し込み操作することで制御回路の一部を作動又は停止させるスイッチをカバー部材から露呈させたカメラであって、スイッチを受部と対向する位置に設け、スイッチが受部に向けて押し込まれるようにするものである。
【０００８】
【発明の実施の形態】
図１及び図２は、本発明を実施したカメラの一例を示すものである。図２（Ａ）に示すように、カメラ３０の前面には、中央部に撮影レンズ３１が配置され、上方には、ファインダ対物窓３２，オートフォーカス用の投光窓３３及び受光窓３４，被写体輝度検出用の測光窓３５，及びストロボ発光窓３６が設けられている。また、カメラ３０の上面にはシャッターボタン３７が設けられている。撮影レンズ３１はズーム鏡筒３８に保持されており、その前面をレンズバリア３９ａ，３９ｂによって覆われている。そして、カメラ３０を使用するときには、ズーム鏡筒３８が前方に突出するとともに、レンズバリア３９ａ，３９ｂが開放し、カメラ３０の背面に設けられたズームレバー４１（同図（Ｂ）参照）を操作することで、焦点距離を適宜に変更することができるようになっている。そして、シャッターボタン３７を半押しすると自動的にピント合わせが行われ、引き続きシャッターボタン３７を押し込むと、被写体像が撮影レンズ３１を介して写真フイルム上に露光される。
【０００９】
同図（Ｂ）に示すように、カメラ３０の背面には、ズームレバー４１，ファインダ接眼窓４２，視度調整つまみ４３，画面サイズ切換えつまみ４４，液晶表示器４５，撮影モード切換えボタン４６，及びメインスイッチ４７が設けられている。液晶表示器４５には、例えば日付け，撮影枚数，撮影モード等を表示することができる。撮影モード切換えボタン４６及びメインスイッチ４７は押し込み式のスイッチからなり、カメラ３０の下方部に横並びに設けられている。撮影モード切換えボタン４６は、適正露出となるように絞りとシャッタースピードとの組み合わせを撮影シーンに応じて切換えるためのボタンであり、押し込み操作を１回行うごとに撮影モードが順次切り換わる。なお、撮影モードが変更されるごとに、液晶表示器４５の表示内容が変更される。また、メインスイッチ４７をオン状態にすると各回路ユニットに電源が供給され、撮影待機状態となる。なお、ズームレバー４１としては回動式のスイッチが、また視度調整つまみ４３及び画面サイズ切換えつまみ４４としてはスライド式のスイッチがそれぞれ用いられている。
【００１０】
図１に示すように、カメラ３０は、撮影機構やファインダ機構等を組み付けた本体部５１の前後に前カバー５２と後カバー５３とを被せて構成されている。本体部５１にはアパーチャー５４が形成され、写真フイルム５５に対する露光範囲を規定している。また本体部５１には、アパーチャー５４と対向する位置にフイルム支持板５６が取り付けられており、写真フイルム５５を背面側から支持して撮影レンズ３１の光軸３１ａと同じ向きに位置決めするとともに、その平面性を保持している。このフイルム支持板５６は、下方部に形成された係合部５６ａがアパーチャー５４の下側に突設された受部５７に係合し、アパーチャー５４との間隔を一定に保った状態で位置決めされ、ねじ等により本体部５１に固定される。
【００１１】
フイルム支持板５６の背面側には、カメラ３０の制御回路が実装された制御回路基板５８が配置されており、この制御回路基板５８に取り付けられた液晶表示器４５や撮影モード切換えボタン４６が後カバー５３に形成された開口５３ａ，５３ｂから露呈される。制御回路基板５８は、撮影モード切換え用の端子、例えばプリント接点５８ａがフイルム支持板５６を挟んで受部５７と対向するように配置されており、このプリント接点５８ａ上にゴム製の撮影モード切換えボタン４６が取り付けられている。撮影モード切換えボタン４６の裏面には、中央部に導電ゴムで形成された接点４６ａが設けられ、この接点４６ａを覆うようにカップ状の脚部４６ｂが一体に形成されている。脚部４６ｂは可撓性を有し、これにより撮影モード切換えボタン４６が制御回路基板５８に対して垂直方向に移動自在となっている。なお、撮影モード切換えボタン４６と横並びに設けられたメインスイッチ４７も、受部５７と対向する位置に取り付けられている。
【００１２】
カメラ３０を用いて撮影を行うときには、まずメインスイッチ４７を押し込み操作してオン状態にする。これにより、各回路ユニットに電源が供給され、ズーム鏡筒３８が前方に突出するとともに、撮影レンズ３１の前面を覆っているレンズバリア３９ａ，３９ｂが開いて撮影待機状態となる。液晶表示器４５には日付け，撮影枚数，及び撮影モード等が映し出される。写真フイルム５５は、アパーチャー５４とフイルム支持板５６とによって前後を支持される。
【００１３】
次に、撮影者は、撮影モード切換えボタン４６を押し込み操作し、撮影シーンに応じた撮影モードを選択する。この際、制御回路基板５８上に設けられた撮影モード切換え用のプリント接点５８ａが、フイルム支持板５６を位置決めしている受部５７と対向する位置に設けられているので、このプリント接点５８ａ上に取り付けられた撮影モード切換えボタン４６は受部５７に向けて押し込まれることになる。したがって、撮影モード切換えボタン４６を押し込み操作したときの押圧力は受部５７に吸収され、フイルム支持板５６の写真フイルム５５と接触している部分に伝わることが阻止される。これにより、アパーチャー５４とフイルム支持板５６との間隔が一定に維持され、写真フイルム５５の平面性が保持される。
【００１４】
そして、撮影者がファインダ接眼窓４２から覗いて撮影範囲と構図とを決定し、この後にシャッターボタン３７を半押しすると自動的にピント合わせが行われ、引き続きシャッターボタン３７を押し込むと被写体光が撮影レンズ３１を介して写真フイルム５５上に露光される。この際、写真フイルム５５の平面性が保たれているので、この写真フイルム５５上には、歪みのない、良好な被写体像が露光される。
【００１５】
なお、上記実施形態では、プリント接点が受部と対向するように制御回路基板を配置し、この制御回路基板上に撮影モード切換えボタンやメインスイッチ等のスイッチが直接接触するようにしたが、制御回路基板の構成及び配置は、これに限られるものではない。本発明では、スイッチの押し込み方向に受部が位置するようにスイッチを配置すればよいので、例えば制御回路基板から突出させて接片を設け、スイッチの押し込み操作によって接片とスイッチとが接触されるようにしてもよい。
【００１６】
【発明の効果】
以上のように、本発明のカメラによれば、アパーチャーの上側及び下側の少なくともいずれか一方に設けられた受部と対向する位置にスイッチを設け、スイッチが受部に向けて押し込まれるようにするので、スイッチを押し込み操作したときの押圧力は受部に吸収され、フイルム支持板の写真フイルムと接触する部分に伝わることが阻止される。これにより、アパーチャーとフイルム支持板との間隔は一定に維持され、写真フイルムの平面性が保持される。しかも、スイッチの押圧力を遮るための保護板の配置スペースを考慮する必要がないので、カメラの薄型化に対する制約がなくなる。また、カメラの構成部材数も減少するので、低価格化を図ることができるとともに、組み立てが容易になるという利点がある。
【図面の簡単な説明】
【図１】本発明を実施したカメラの要部断面図である。
【図２】カメラの外観図であり、（Ａ）はカメラの前面を、（Ｂ）はカメラの背面をそれぞれ表している。
【図３】従来のカメラの構成を示す概略図である。
【図４】図３に示したカメラの要部断面図である。
【符号の説明】
１０，３０  カメラ本体
１３，５３  後カバー
１７，５５  写真フイルム
１９，５４  アパーチャー
２１，５８  制御回路基板
２２，４５  液晶表示器
２３，４６  撮影モード切換えボタン
４７  メインスイッチ
５６  フイルム支持板
５７  受部
【図１】
0003586027.tif 000002
【図２】
0003586027.tif 000003
【図３】
0003586027.tif 000004
【図４】
0003586027.tif 000005